(57)【特許請求の範囲】
【請求項１】
医療処置を実行するための少なくとも１つの処置装置（１、１’、１’’）であって、中央制御ユニットと、該処置装置（１、１’、１’’）を制御するための機械関連のデータを入力および表示するための装置（１Ｂ）と、患者関連のデータを入力および表示するための装置（１Ｂ）とを有している処置装置（１、１’、１’’）、および
患者関連のデータを供給するための装置（２）であって、患者関連のデータを保存するための装置を有している装置（２）を備えており、
少なくとも１つの該処置装置（１、１’、１’’）および患者関連のデータを供給するための装置（２）が、入力／表示装置（１Ｂ）によって入力されたデータを保存装置によって保存でき、かつ保存装置によって保存されたデータを入力／表示装置によって表示できるように相互作用する医療処置システムであって、
該入力／表示装置（１Ｂ）が、処置モードにおいて機械関連のデータ・セットを表示でき、患者モードにおいて患者関連のデータ・セットを表示できるように設計され、かつ
該入力／表示装置（１Ｂ）が、患者関連のデータの種々のグループ（１６、１７、１８）を入力および表示するための複数の手段を有しており、患者関連のデータのグループを入力および表示するためのそれぞれの手段が、複数のデータ・セットを表示するための手段と、複数のデータ・セットから１つ以上のデータ・セットを選択するための手段、および選択された１つ以上のデータ・セットを表示するための手段を有しており、
該処置装置（１、１’、１’’）および該保存装置が、選択されたデータ・セットの少なくともいくつかを保存装置によって保存できるように相互作用することを特徴とする医療処置システム。
【請求項２】
患者関連のデータのグループを入力および表示するための手段が、１つ以上のデータ・セットを入力するための手段を有しており、
１つ以上のデータ・セットを選択するための手段が、入力されたデータ・セットを、選択されたデータ・セットへと割り当てることができ、かつ表示することができるように、１つ以上のデータ・セットを入力するための手段と相互作用することを特徴とする請求項１に記載の医療処置システム。
【請求項３】
該入力／表示装置（１Ｂ）が、患者モードにおいて機械関連のデータ・セットを患者関連のデータ・セットに加えて表示できるように設計されていることを特徴とする請求項１に記載の医療処置システム。
【請求項４】
該入力／表示装置（１Ｂ）が、機械関連の表示領域が、機械関連のデータ・セットを表示するための処置モードにのみ定められるように設計されていることを特徴とする請求項１または３に記載の医療処置システム。
【請求項５】
該入力／表示装置（１Ｂ）が、患者関連の表示領域が、患者関連のデータ・セットを表示するための患者モードに定められるように設計されていることを特徴とする請求項１〜４のいずれか一項に記載の医療処置システム。
【請求項６】
機械関連の表示領域が、患者関連の表示領域とは別個であることを特徴とする請求項１〜５のいずれか一項に記載の医療処置システム。
【請求項７】
患者関連のデータを供給するための装置（２）が、患者関連のデータを入力するための装置（２Ｂ）を有していることを特徴とする請求項１〜６のいずれか一項に記載の医療処置システム。
【請求項８】
複数の処置装置（１、１’、１’’）を有しており、該処置装置（１、１’、１’’）および患者関連のデータを供給するための装置（２）が、互いに接続されてネットワーク（３）を形成していることを特徴とする請求項１〜７のいずれか一項に記載の医療処置システム。
【請求項９】
該入力／表示装置（１Ｂ）が、患者関連のデータを表示するためのスクリーン（１Ｂ）を有していることを特徴とする請求項１〜８のいずれか一項に記載の医療処置システム。
【請求項１０】
該スクリーン（１Ｂ）が、患者関連のデータを入力および表示するためのタッチスクリーンとして設計されていることを特徴とする請求項９に記載の医療処置システム。
【請求項１１】
患者関連のデータの種々のグループを入力および表示するための手段が、該スクリーン（１Ｂ）上に表示できる個々に選択可能なフィールドを備えているページであることを特徴とする請求項１０に記載の医療処置システム。
【請求項１２】
該処置装置（１、１’、１’’）が、体外血液処理装置であることを特徴とする請求項１〜１１のいずれか一項に記載の医療処置システム。
【請求項１３】
医療処置を実行するための少なくとも１つの処置装置（１、１’、１’’）であって、中央制御ユニットと、該処置装置（１、１’、１’’）を制御するための機械関連のデータを入力および表示するための装置（１Ｂ）と、患者関連のデータを入力および表示するための装置（１Ｂ）とを有している処置装置（１、１’、１’’）、および
患者関連のデータを供給するための装置（２）であって、患者関連のデータを保存するための装置を有している装置（２）を備えており、
少なくとも１つの該処置装置（１、１’、１’’）および患者関連のデータを供給するための装置が、入力／表示装置によって入力されたデータを保存装置によって保存でき、かつ保存装置によって保存されたデータを入力／表示装置によって表示できるように相互作用する医療処置システムであって、
該入力／表示装置が、処置モードにおいて機械関連のデータ・セットが表示され、患者モードにおいて患者関連のデータ・セットが表示されるように設計され、患者関連の表示領域（１０）が、患者モードにおいて専ら患者関連のデータ・セットを表示するために定められ、
患者関連のデータの照会を周期的に行うための手段が設けられ、患者関連のデータを供給するための装置によって新たな患者関連データが供給されたときに通知が行われるように設計されていることを特徴とする医療処置システム。
【請求項１４】
該入力／表示装置が、患者モードにおいてさらに機械関連のデータ・セットを患者関連のデータ・セットに加えて表示できるように設計されていることを特徴とする請求項１３に記載の医療処置システム。
【請求項１５】
該入力／表示装置が、機械関連の表示領域が、処置モードにおいて専ら機械関連のデータ・セットを表示するために定められるように設計されていることを特徴とする請求項１３または１４に記載の医療処置システム。
【請求項１６】
該入力／表示装置が、患者関連の表示領域が、患者モードにおいてのみ専ら患者関連のデータ・セットを表示するために定められるように設計されていることを特徴とする請求項１３〜１５のいずれか一項に記載の医療処置システム。
【請求項１７】
機械関連の表示領域が、患者関連の表示領域とは別個であることを特徴とする請求項１３〜１６のいずれか一項に記載の医療処置システム。
【請求項１８】
患者関連のデータを供給するための装置（２）が、患者関連のデータを入力するための装置（２Ｂ）を有していることを特徴とする請求項１３〜１７のいずれか一項に記載の医療処置システム。
【請求項１９】
複数の処置装置（１、１’、１’’）を有しており、該処置装置（１、１’、１’’）および患者関連のデータを供給するための装置（２）が、互いに接続されてネットワーク（３）を形成していることを特徴とする請求項１３〜１８のいずれか一項に記載の医療処置システム。
【請求項２０】
該入力／表示装置が、患者関連のデータを表示するためのスクリーン（１Ｂ）を有していることを特徴とする請求項１３〜１９のいずれか一項に記載の医療処置システム。
【請求項２１】
該スクリーン（１Ｂ）が、患者関連のデータを入力および表示するためのタッチスクリーンとして設計されていることを特徴とする請求項２０に記載の医療処置システム。
【請求項２２】
該処置装置（１、１’、１’’）が、体外血液処理装置であることを特徴とする請求項１３〜２１のいずれか一項に記載の医療処置システム。
【発明の詳細な説明】
【技術分野】
【０００１】
本発明は、概して、医療処置を実行するための少なくとも１つの装置と患者関連のデータを供給するための装置とを備える医療処置システムに関し、とくには体外血液処理システム、とくには少なくとも１つの透析装置と患者関連のデータを供給するための装置とを備える透析システムに関する。
【背景技術】
【０００２】
１つの医師のステーションからそれぞれの患者の処置を監視するだけでなく、処置の調節も行うことができるよう、複数の患者ステーションおよび中央のサーバを含んでいる透析ステーションが、ＤＥ  １０  ２００４  ０１１  ２６４  Ａ１から知られている。医師のステーションと個々の患者ステーションとの間の対話を、データ・ネットワークを介して行うことができる。相互接続によるさらなる透析システムが、ＥＰ  １  １９５  ７０８  Ａ１およびＷＯ  ０１／３７８９９  Ａ２から知られている。
【０００３】
従来技術に係る透析システムの共通の特徴は、個々の処置装置からロードできる患者関連のデータが、中央のサーバに供給される点にある。さらに、処置装置へと供給される患者関連のデータを、中央のサーバに保存することができる。
【０００４】
医療工学におけるより厳格な安全性の要件のため、一方では施術の誤りをなくし、他方では医療処置システムの機能不良をなくすために、処置装置とサーバとの間のデータの伝達に、きわめて高度な安全性の要求が課される。
【発明の概要】
【発明が解決しようとする課題】
【０００５】
本発明の目的は、作業者に医療処置についての包括的な情報を提供するとともに、入力ミスおよび機能不良を安全に廃絶する医療処置システム、とくには透析システムを示すことにある。
【課題を解決するための手段】
【０００６】
この目的は、本発明によれば、請求項１、１４および２３の特徴によって達成される。
【０００７】
医療処置システムの入力／表示装置が、処置モードにおいて機械関連のデータ・セットが表示され、患者モードにおいて患者関連のデータ・セットが表示されるように設計される。ここで、機械関連のデータ・セットが、例えば血液および透析用流体のポンプの送り速度、限外ろ過量など、機械の制御システムに関係するすべてのデータを指すものと理解される一方で、患者関連のデータ・セットは、処置装置の制御になんら影響しないすべてのデータを指すものと理解される。それらのデータ・セットは、単に作業者のための情報として機能する。
【０００８】
本発明による医療処置システムの入力／表示装置は、患者関連のデータの種々のグループを入力および表示するための複数の手段を特徴とする。患者関連のデータのグループを入力および表示するためのそれぞれの手段が、複数のデータ・セットを表示するための手段、および複数のデータ・セットから１つ以上のデータ・セットを選択するための手段を有している。したがって、データ・セットそのものを入力する必要なく、所定のデータ・セットから処置のために必要とされるデータ・セットを選択することが可能である。さらに、患者関連のデータのグループを入力および表示するためのそれぞれの手段は、選択されたデータ・セットの１つ以上を表示するための手段を有している。したがって、所定のデータ・セットから処置の際に選択されたデータ・セットを、作業者のために自動的に記録することが可能である。
【０００９】
好ましい設計においては、入力／表示装置が、患者関連のデータを入力および表示するためのタッチスクリーンとして設計され、患者関連のデータの種々のグループを入力および表示するための手段が、個々に選択可能なフィールドを含んでスクリーン上に表示できるページである。
【００１０】
データ伝達が、処置装置と患者関連のデータを供給するための装置（患者関連のデータを保存するための設備を有している）との間で行われる。
【００１１】
患者関連のデータのグループは、例えば、処置の際に投与された薬物または処置のために処方された薬物についての情報、ならびに処置の際に得られた結果、および処置の際に開始されたアクションなど、処置の種類および実行についての情報を作業者に提供する複数のデータ・セットを例えば含むことができる。これらの患者特有のデータを、個々に表示して、作業者にとって利用可能にできる。
【００１２】
医療処置システムのとくに好ましいさらなる設計は、複数のデータ・セットから患者関連のデータの種々のグループを選択できるようにするだけでなく、選択されたデータ・セットへと割り当てることができ、かつ表示することができる１つ以上のデータ・セットを入力するための手段を提供する。したがって、作業者が、処置の方法および処置のプロセスならびに投与された薬物に関するさらなる情報、ならびに得られた結果および開始されたアクションを入力することができ、この情報を、後の処理の作業者が利用することができる。好ましくは選択されたデータ・セットの少なくとも一部を、作業者にとって恒久的に利用可能となるよう、保存装置に保存することができる。
【００１３】
患者モードにおいては、患者関連の表示領域が、好ましくは患者関連のデータ・セットを表示するためだけに定められ、この表示領域は、専ら作業者に患者について知らせるべく機能し、処置装置の制御には機能しない。好ましい設計においては、患者関連の表示領域が、タッチスクリーンとして設計された処置装置のスクリーンの一部を形成する。
【００１４】
データが、患者関連のデータを供給するための装置から個々の処置装置へと伝達されるとき、データ・セットが完全には表示されない可能性がある。動作エラーまたは不正確な情報を防止するため、入力／表示装置に、患者関連のデータ・セットをすでに表示されているデータ・セットに重なることなく患者関連の表示領域の限界内に表示できるか否かを判断するための手段が設けられ、これによって、限界を超える場合または重なりが存在する場合に、データ・セットの表示が防止される。これにより、誤った結論につながりかねない不完全な情報が作業者へと提示されることがないように保証される。
【００１５】
さらに、この医療処置システムは、患者関連のデータを周期的に照会するための手段を特徴とし、これにより、患者関連のデータを供給するための装置から新たな患者関連データが供給されたときに、これが通知される。処置モードにおいて機械関連のデータ・セットのみが表示される場合、新たな患者関連データの存在が作業者に伝えられるように保証される。次いで、作業者が、患者関連のデータ・セットを表示させて必要であれば処理するために、患者モードを呼び出すことができる。
【図面の簡単な説明】
【００１６】
【図１】体外血液処理システムを、簡略化した図式的表示にて示している。
【図２】処置モードにある処置装置の画面を示している。
【図３】患者モードにある処置装置の画面を示している。
【図４Ａ】患者モードの画面の中央表示領域を示しており、イベント・ページが呼び出されている。
【図４Ｂ】患者モードの画面の中央表示領域を示しており、イベント・ページが呼び出されている。
【図４Ｃ】患者モードの画面の中央表示領域を示しており、イベント・ページが呼び出されている。
【図４Ｄ】患者モードの画面の中央表示領域を示しており、イベント・ページが呼び出されている。
【図５Ａ】薬物ページの呼び出し後の動作の論理シーケンスを説明するためのフローチャートを示している。
【図５Ｂ】薬物ページの呼び出し後の動作の論理シーケンスを説明するためのフローチャートを示している。
【図５Ｃ】薬物ページの呼び出し後の動作の論理シーケンスを説明するためのフローチャートを示している。
【図６Ａ】メッセージ・ページの呼び出し後の動作の論理シーケンスを説明するためのフローチャートを示している。
【図６Ｂ】メッセージ・ページの呼び出し後の動作の論理シーケンスを説明するためのフローチャートを示している。
【００１７】
参考としての実施形態を、図面を参照してさらに詳しく説明する。
【発明を実施するための形態】
【００１８】
図１は、体外血液処理システム（とくには、血液透析システム）の基本的な構成要素を、高度に簡素化した図式的表示にて示している。透析システムが、複数の透析装置１、１’、１’’および患者関連のデータを供給するための装置２を、ネットワーク３によって互いに接続して備えている。
【００１９】
患者関連のデータを供給するための装置２（サーバ）には、例えばハードディスク記憶装置などといった患者関連のデータを保存するための装置２Ａ、および患者関連のデータを入力するための装置２Ｂが備えられている。例えば、この装置は、スクリーンおよびキーボードを有するＰＣを備えることができる。
【００２０】
個々の透析装置１、１’、１’’のそれぞれに、機械部分１Ａおよび入力／表示装置１Ｂが設けられている。入力／表示装置は、タッチスクリーンとして設計されたスクリーンであり、これによって透析装置を制御するための機械関連のデータおよび患者関連のデータの両者を、入力および表示することが可能である。透析装置の機械部分１Ａは、個々の機械部品を制御するための中央制御ユニットを有している。
【００２１】
図２は、透析装置１のスクリーン１Ａの画面を示している。画面が、中央の表示領域１０と、上縁に位置するステータス・バー１１と、スクリーンの下縁に位置するメニュー・バーとに分割されている。中央領域１０の限界が、図２に破線で示されている。ステータス・バー１１およびメニュー・バー１２はそれぞれ、指やカーソルによって選択できる複数の選択可能なフィールド（ボタン）を有している。
【００２２】
作業者は、スクリーン上で処置モードまたは患者モードのいずれかを選択することができる。図２は、機械関連のデータの入力および表示が可能な処置モードを示している。このモードにおいて、例えば、処置のためにあらかじめ定められたパラメータを、透析装置の中央制御ユニットのために入力することができる。
【００２３】
スクリーン上で患者関連のデータの入力および表示を行うことができる患者モードは、処置モードとは完全に別個独立の機能を演じる。したがって、患者モードにおける入力および表示は、透析処置に何ら影響を及ぼさず、単に情報および記録として機能する。
【００２４】
患者モードにおける患者関連のデータの入力および表示は、ステータス・バー１１およびメニュー・バー１２ならびにさらなる機械関連のデータ（例えば動脈圧および静脈圧ならびに血流）を表示できる左側および右側の表示領域１３、１４が視認可能なままであるよう、中央の表示範囲１０において行われる。
【００２５】
患者関連のデータは、透析システムのサーバ２からロードされる。データが中央において供給されるため、顧客の要件に合わせた変更および適合が可能であり、迅速に行うことができる。患者モードにおいては、透析装置には保存されておらずサーバからロードされる動的かつ相互対話的なプログラム・シーケンスを、実行することができる。透析装置において、プログラム・シーケンスが機械の制御から分離して実行されるため、プログラム・シーケンスが透析装置の医療機能に影響を及ぼすことがあり得ない。
【００２６】
相互対話的なプログラム・シーケンスは、患者モードにおいてスクリーン上に例えば検査値などの患者関連のデータを表示するように機能する。さらに、作業者による入力も可能である。入力への応答として、サーバがさらなるデータを透析装置へと送信でき、これによって具体的なユーザの案内が可能になる。
【００２７】
プログラム・シーケンスの相互対話性は、サーバから動的にロードされ、その構造がページ記述言語に従っているスクリーン・ページによって達成される。透析装置とサーバとの間の通信は、ｈｔｔｐまたはＨＴＴＰＳといったプロトコルによって行われ、ページの内容は、ＨＴＭＬによって記述される。ページの記述は、スクリーン上に表示すべき制御要素、それらの属性、それらの配置場所、およびそれらがユーザの入力に対してどのように反応するのかについての情報を含んでいる。
【００２８】
プログラム・シーケンスの最も単純な形態は、サーバによって生成されたスクリーン・ページであって、作業者によるデータ入力の可能性が皆無またはきわめてわずかであるスクリーン・ページの表示である。このページが、例えばメニュー・ポイントによって選択され、ボタンによって閉じられる。
【００２９】
複雑なプログラム・シーケンスは、その順序および内容が作業者の入力に従って定められる一連のスクリーン・ページを含むことができる。ボタンによって順序が制御される相互対話的なヘルプまたは学習ページが、この例である。
【００３０】
さらに、より複雑なプログラム・シーケンスは、計算アルゴリズムを実行し、したがって患者の現在または将来の処置に関連しうる医療関連のパラメータを計算するために、他の場所で利用可能にされる（例えば透析データ・バンクから、あるいは透析器そのものからの測定データの取得によって）データを使用して、患者関連のデータ入力のサーバにおける受信を可能にする。
【００３１】
患者モードのスクリーンの機能を、例を参照しつつ以下でさらに詳しく説明する。
【００３２】
所定の間隔にて、透析装置が周期的に、新たな患者関連データが利用可能であるか否かをサーバに対して尋ねる。該当する場合、処置モードがアクティブにされていて、患者モードがアクティブにされていないならば、患者の名前を載せている患者ボタン１５が、スクリーンのステータス・バー１１において点滅する。患者モードは、患者ボタン１５が選択されるまでは開かれない。いずれの場合も、常にすべての安全関連のデータが作業者へと通知されるように保証される。
【００３３】
患者関連のデータは、スクリーン上に表示できるグラフィック要素を定めている。図３が、患者モードにおける画面を示している。グラフィック要素は、サーバによって中央の表示領域１０（図２）の任意の場所に配置できる。患者モードにおいてスクリーン上に患者関連のデータが現われる前に、すでに表示済みの要素に重なり合うことなく中央の表示領域１０の所定の限界内に個々のグラフィック要素を表示することが可能であるか否かが、判断される。該当する場合、要素の表示は防止される。そうでない場合、要素がスクリーンの中央の表示領域に現われる。これは、すべての関連の情報が利用可能になるまでは表示が存在しないように保証し、表示内容の誤った解釈の可能性を除いている。
【００３４】
グラフィック要素は、最初に、ＨＴＭＬページ記述内の位置情報に従って仮想的に配置される。ここで、各要素について、その位置がすでに他の要素のために予約済みでないかどうか、および要素が中央の表示領域の内側に完全に位置するかどうかが、確認される。そのようであるならば、この要素のための位置が開放されている。一方で、この位置がすでに占められている場合には、ページは表示されず、エラー・メッセージがページ上に現われる。この場合、スクリーンの残りの部分は依然として機能可能である。すべての要素が、衝突することなく上手く仮想的に配置されたならば、完全なページが表示される。
【００３５】
機能不良を防止するため、透析装置にとって既知であるグラフィック要素のみがスクリーン上に表示され、この目的のため、ＨＴＭＬ要素にいわゆるクラス属性が設けられる。個々の要素をスクリーン上に表示する前に、要素がクラス属性を備えているか否かが判断される。この場合、クラス属性を備えている要素のみが表示される。他方で、クラス属性を持たない要素は無視される。サーバが、透析装置のうちの１つよりも最近のソフトウェア・バージョンを備えている場合、未知のクラス属性を有する要素が得られる可能性がある。それら未知のクラス属性を有する要素は表示されず、機能不良を防止している。しかしながら、ユーザへは警告が伝えられる。
【００３６】
患者モードにおいては、患者関連データの種々のグループが、別々のページに表示される。種々のグループとしては、例えば、実行された処置、処方された薬物、メッセージ、イベント、またはアクションが挙げられる。個々のページを、ページの上縁の該当ボタンを押すことによって、指で呼び出すことができる。図３は、イベント・ページを示している。各ページは、複数のデータ・セットを含んでおり、そのようなデータ・セットとして、例えばイベント・ページにおいては、例えば薬物１（Ｍｅｄｉｃａｔｉｏｎ１）、薬物２（Ｍｅｄｉｃａｔｉｏｎ２）、薬物３（Ｍｅｄｉｃａｔｉｏｎ３）などといった処方済みの薬剤、または頭痛などといった種々のイベントが挙げられる。これらのデータ・セットは、個々のリスト１６、１７、１８へとまとめられる。処置の際にイベントが生じた場合、そのイベントを、時刻および適切なアクションとともに記録することができる。この目的のために、適切なボタンが選択される。
【００３７】
イベントおよびアクションの表示および記録のためのメニュー選択を、図４Ａ〜４Ｄを参照して以下でさらに詳しく説明する。例えば、作業者は、イベント・リスト１７において、種々の所定のイベント「頭痛（Ｈｅａｄａｃｈｅ）」などの中から、イベント「イベント６（Ｅｖｅｎｔ６）」を選択する。その結果、この文字が緑色で強調される。作業者は、ここでイベントの代わりに、アクションを選択してもよい。作業者が、最初にイベントを選択した場合、次にアクションを選択することができる。
【００３８】
例えば、作業者は、アクション「薬物２、単位（Ｍｅｄｉｃａｔｉｏｎ２，ｕｎｉｔ）」をアクション・リスト１６から選択し、すなわち特定の薬物の投与が、薬物のリストから選択される。次いで、作業者は、新たなページ（図４Ｄ）を開き、投与される単位の数を入力する。例えば、作業者は、該当のボタン５を押すことによって５単位を入力する。次いで、作業者は、以前のページへと戻る。今や、アクション「５  薬物３、単位（５  Ｍｅｄｉｃａｔｉｏｎ３，ｕｎｉｔ）」が緑色で強調されている。入力されたデータ・セット「５」が、選択されたデータ・セット「薬物３、単位（Ｍｅｄｉｃａｔｉｏｎ３，ｕｎｉｔ）」へと割り当てられている。
【００３９】
入力の確認の後、選択されたイベントおよびアクションが、入力の時刻（１７：０５）の表示とともに、保存済みイベントのリスト１８（イベント履歴（Ｅｖｅｎｔ  Ｈｉｓｔｏｒｙ））に表示される。文字には、青色の背景が与えられている。ユーザは、「ＯＫ」ボタンを押すことによって、この表示を確認することができる。今や、文字に灰色で下線が引かれるが、「イベント履歴（Ｅｖｅｎｔ  Ｈｉｓｔｏｒｙ）」に示されたイベントおよびアクションを「履歴（Ｈｉｓｔｏｒｙ）」から取り除くことも可能である。この目的のために、ユーザが「削除（Ｒｅｍｏｖｅ）」ボタンを押す。
【００４０】
したがって、患者モードは、選択されるべき特定のイベントおよび特定のアクションの割り当てを可能にし、イベントおよびアクションを、記録のために順に保存することができる。ここで、データ・セットは、個々の透析装置１、１’、１’’とは別個独立にサーバ２に保存される。その結果、新たなイベントおよびアクションの選択に先立って、すでに行われたイベントおよびアクションが、ユーザへと伝えられる。例えば、ユーザがイベント「イベント６（Ｅｖｅｎｔ６）」およびアクション「５  薬物３、単位（５  Ｍｅｄｉｃａｔｉｏｎ３，ｕｎｉｔ）」を入力する前に、患者がすでに頭痛を抱えていて、薬物が投与済みであることが、ユーザへと伝えられる。ユーザによる選択が可能な個々のデータ・セットとデータ・セットの記録との組み合わせが、透析処置の安全性を向上させる。
【００４１】
ユーザが、患者関連データの種々のグループの中から「薬物（Ｍｅｄｉｃａｔｉｏｎ）」ページを選択した場合、新たなページが現われる。図５Ａ〜５Ｃが、薬物ページが呼び出された後の動作の論理シーケンスを説明するためのフローチャートを示している。ユーザは、複数のデータ・セットのうちのこのグループの中から、さらなる選択を行うことができる。例えば、ユーザは、薬物３（Ｍｅｄｉｃａｔｉｏｎ３）、薬物４（Ｍｅｄｉｃａｔｉｏｎ４）、薬物５（Ｍｅｄｉｃａｔｉｏｎ５）などといった所定の薬物の中から（すなわち、患者関連のデータを供給するために装置からロードされる利用可能な薬物のリストから）、所望の薬物を選択することができる。選択された薬物の文字が、今や緑色で強調される。ここでユーザは、「拒否（Ｒｅｊｃｔ）」または「承認（Ａｃｃｅｐｔ）」ボタンを押すことによって、処方された薬物を承認または拒否することができる。ユーザが選択された薬物を承認した場合、その選択された薬物は、「薬物履歴（Ｍｅｄｉｃａｔｉｏｎ  Ｈｉｓｔｏｒｙ）」リストのもとに表示されて、レ点によって識別され、そうでない場合、薬物が表示され、十字によって識別される。
【００４２】
「ＯＫ」による確認の後で、「薬物履歴（Ｍｅｄｉｃａｔｉｏｎ  Ｈｉｓｔｏｒｙ）」リストのすべてのエントリが、透析装置とは別個独立に、記録のために引き継がれて、サーバ２に保存される。一方、ユーザが患者モードを終了させると、すべての入力は失われる。
【００４３】
後に「薬物（Ｍｅｄｉｃａｔｉｏｎ）」ページが再び呼び出されると、ユーザが処置の経過をたどることができるよう、患者関連のデータ・セットがロードされる。例えば、ユーザに、薬物１および５が投与済みであるが、薬物２は投与されていない旨が伝えられる。
【００４４】
イベントおよびアクションならびに薬物の投与の表示および記録に加え、さらにサーバは、個々の透析装置のユーザが患者関連のメッセージを利用できるようにする。
【００４５】
メッセージを、それぞれの患者について透析システムに保存することができる。これらのメッセージは、患者関連データを供給するための装置（サーバ）の入力装置２Ｂを使用して、中央において入力される。例えば、メッセージは、キーボードによって入力され、あるいはデータ担体にて読み込まれる。また、メッセージを、サーバと通信する他の外部の装置（不図示）によって利用可能にしてもよい。図６Ａおよび６Ｂが、動作の論理シーケンスを説明するためのフローチャートを示している。
【００４６】
処置モードが呼び出されたとき、新たなメッセージが受信されるとステータス・バー１１の患者ボタンが点滅する。次いでユーザは、患者メニューを有効にすることができる。ユーザが、「メッセージ（Ｍｅｓｓａｇｅ）」ページを選択する。メッセージを読むために、ユーザが適切なボタンを押し、メッセージを時刻の表示と一緒に表示する新たなページが開かれる。「確認（Ｃｏｎｆｉｒｍ）」ボタンを押すことによって、ユーザは、メッセージを読んだ旨を伝える。そうでない場合、ユーザは、「閉じる（Ｃｌｏｓｅ）」ボタンを押すことによってページを閉じる。
【００４７】
ユーザがメッセージを読んだ場合、メッセージのリスト内のメッセージの題名が消え去る。今や、メッセージの題名を、ユーザがそのメッセージを読んだ時刻の表示とともに、「メッセージ履歴（Ｍｅｓｓａｇｅ  Ｈｉｓｔｏｒｙ）」リストに見つけることができる。以前に読まれたすべてのメッセージも、このリストに現われる。ここでユーザは、未読であるさらなるメッセージを順に呼び出すことができ、それらを記録のために時刻の表示とともに保存することができる。
【００４８】
記録におけるエラーを防止するために、ページのすべての内容は、サーバのデータ・バンクへの保存が可能になる前に、サーバによって複数回、少なくとも３回呼び出され、種々の動作段階において表示される。これらの実施形態は、最初に各要素が選択されなければならず、次いで選択が確認され、確認された選択が最終的に「履歴（Ｈｉｓｔｏｒｙ）」リストに取り入れられる旨を示している。誤った入力の恐れが、複数回の入力によって低減される。
【図１】
0005546650.tif 000002
【図２】
0005546650.tif 000003
【図３】
0005546650.tif 000004
【図４Ａ】
0005546650.tif 000005
【図４Ｂ】
0005546650.tif 000006
【図４Ｃ】
0005546650.tif 000007
【図４Ｄ】
0005546650.tif 000008
【図５Ａ】
0005546650.tif 000009
【図５Ｂ】
0005546650.tif 000010
【図５Ｃ】
0005546650.tif 000011
【図６Ａ】
0005546650.tif 000012
【図６Ｂ】
0005546650.tif 000013